(57)【要約】【課題】  複数の施設に入場することのできる入場券の不正使用を簡易な構成で防ぐこと。【解決手段】  共通入場券２０には、展示室１３０，１４０毎に当該展示室への入場を管理するための入場管理情報がバーコードとして印刷されている。各入場管理装置３０，４０は、自装置が設置された展示室用のバーコードを共通入場券２０から読み取り、読み取り結果を用いて展示室への入場の可否を判定する。そして、各入場管理装置３０，４０は、入場を許可すると判定した場合に、共通入場券２０において自装置が設置された展示室用のバーコードが印刷されている部分に印刷や孔をあける等の加工処理を施してこのバーコードを無効化する一方、入場を許可しないと判定した場合には、警告を出力する。【選択図】      図４
2005165853.tif 000002
【特許請求の範囲】
【請求項１】
１枚の入場券で入場することのできる複数の施設のうち１の施設への入場を管理する入場管理装置であって、
前記入場券には、前記施設毎に当該施設への入場を管理するための入場管理コードが印刷されており、
前記入場券から前記１の施設の入場管理コードを読み取る読取手段と、
前記読取手段による読み取り結果を用いて前記１の施設への入場の可否を判定する判定手段と、
前記判定手段により入場が許可された場合に、前記入場券において前記１の施設の入場管理コードが印刷されている部分を加工して、前記入場管理コードを前記入場券から読み取ることができないようにする加工手段と、
前記判定手段により入場が許可されなかった場合に警告を出力する出力手段と
を備えることを特徴とする入場管理装置。
【請求項２】
前記加工手段は、前記判定手段により入場が許可された場合に、前記入場券に印刷されている前記１の施設の入場管理コードの上に印刷を行い、前記入場管理コードを前記入場券から読み取ることができないようにする
ことを特徴とする請求項１に記載の入場管理装置。
【請求項３】
前記加工手段は、前記判定手段により入場が許可された場合に、前記入場券において前記１の施設の入場管理コードが印刷されている位置に孔をあけて、前記入場管理コードを前記入場券から読み取ることができないようにする
ことを特徴とする請求項１に記載の入場管理装置。
【請求項４】
前記入場券には、前記１の施設への入場を管理するための入場管理コードが複数印刷されており、
時刻を計時する計時手段と、
前記読取手段が前記入場券から前記１の施設の入場管理コードを読み取る位置を、前記計時手段による計時時刻に応じて変更する変更手段とをさらに有する
ことを特徴とする請求項１に記載の入場管理装置。
【請求項５】
１枚の入場券で入場することのできる複数の施設のうち１の施設に設置された入場管理装置と退場管理装置とを有する入退場管理システムであって、
前記入場券には、前記施設毎に当該施設への入場を管理するための入場管理コードが印刷されており、
前記入場管理装置は、
前記入場券から前記１の施設の入場管理コードを読み取る読取手段と、
前記読取手段による読み取り結果を用いて前記１の施設への入場の可否を判定する判定手段と、
前記判定手段により入場が許可されなかった場合に警告を出力する出力手段とを備え、
前記退場管理装置は、
前記入場券において前記１の施設の入場管理コードが印刷されている部分を加工して、前記入場管理コードを前記入場券から読み取ることができないようにする加工手段を備える
ことを特徴とする入退場管理システム。
【請求項６】
１枚の入場券で入場することのできる複数の施設のうち１の施設に設置された装置において行われる前記１の施設への入場を管理するための入場管理方法であって、
前記入場券には、前記施設毎に当該施設への入場を管理するための入場管理コードが印刷されており、
前記入場券から前記１の施設の入場管理コードを読み取る第１の過程と、
前記第１の過程における読み取り結果を用いて前記１の施設への入場の可否を判定する第２の過程と、
前記第２の過程にて入場が許可された場合に、前記入場券において前記１の施設の入場管理コードが印刷されている部分を加工して、前記入場管理コードを前記入場券から読み取ることができないようにする一方、前記第２の過程にて入場が許可されなかった場合に警告を出力する第３の過程と
を有することを特徴とする入場管理方法。
【発明の詳細な説明】
【技術分野】
【０００１】
本発明は、施設への入場を管理するための技術に関する。
【背景技術】
【０００２】
例えば、図５に示すように、入館料のみで入場することのできる常設展示室１３０と、入場するのに入館料に加えて別途料金が必要となる特別展示室１４０とが設けられた博物館や美術館等の展示施設１００では、特別展示室１４０への入場を希望する入館者について、以下に記載する方法を用いて常設展示室１３０と特別展示室１４０への入場を管理していた。
【０００３】
（方法１：２種類の入場券を用いる方法）
エントランスホール１１０に設けられた入場券売場１２０にて、常設展示室１３０に入場するための入場券と、特別展示室１４０に入場するための入場券の計２種類の入場券を販売する。常設展示室１３０用の入場券には、常設展示室１３０に設置された入場管理装置１３５において読み取り可能な、常設展示室１３０用の入場管理情報がバーコードとして印刷されている。また、特別展示室１４０用の入場券には、特別展示室１４０に設置された入場管理装置１４５において読み取り可能な、特別展示室１４０用の入場管理情報がバーコードとして印刷されている。なお、入場管理情報は、例えば、入場券毎に固有の識別番号や、入場可能な展示室を示す種別コード、入場有効期限等を示す情報である。
【０００４】
入場管理装置１３５は、入場券からバーコード（入場管理情報）を読み取り、読み取った入場管理情報を用いて常設展示室１３０への入場の可否を判定する。また、入場管理装置１４５も同様に、入場券から読み取った入場管理情報を用いて特別展示室１４０への入場の可否を判定する。
【０００５】
（方法２：共通入場券を用いる方法）
入場券売場１２０において常設展示室１３０と特別展示室１４０の両方に入場することのできる共通入場券を販売する。この共通入場券には、各入場管理装置１３５，１４５がともに読み取り可能な入場管理情報（例えば、共通入場券毎に固有の、常設展示室１３０と特別展示室１４０の両方に入場することを許可する識別番号や、入場有効期限等）が１つのバーコードとして印刷されている。なお、各入場管理装置１３５，１４５において入場の可否を判定する際の動作は、入場券が共通入場券である点を除いて上述した（方法１）の場合と同じである。
【０００６】
さらに、特許文献１には、複数の会場に入場することのできる共通の入場券であって、入場者の属性等を示す１つのバーコードが印刷されているとともに、各会場毎に穿孔される位置が予め定められた穿孔部を有し、各会場毎に設置された入場券リーダ・ライタでは、入場券の穿孔部のうち入場した会場に対応する位置に孔をあける一方、穿孔部において孔があいている位置から入場済みの会場を特定することで、１枚の入場券で各会場に１度しか入場できないようにした入場者管理システムが記載されている。
【０００７】
【特許文献１】特開平８−２３５３９５号公報
【発明の開示】
【発明が解決しようとする課題】
【０００８】
ところで、前述した（方法１）を用いた場合、入場券売場１２０では、特別展示室１４０への入場を希望する入館者に対して２枚のチケットを販売しなければならず、展示施設１００の運営費用のコストアップを招いてしまう。一方で、入館者も２枚の入場券を使い分けて常設展示室１３０への入場手続きと、特別展示室１４０への入場手続きを行う必要があり、煩雑であって利便性がよくない。
【０００９】
また、前述した（方法２）では、共通入場券にバーコードが１つしか印刷されておらず、入場管理情報を常設展示室１３０と特別展示室１４０で共用している。このため、例えば、入館者が共通入場券を使用して特別展示室１４０へ入場した際に、特別展示室１４０への再度の入場を禁止するため、入場管理装置１４５において共通入場券に印刷されているバーコードに孔をあける等してこのバーコードを無効にしてしまうと、入館者がこの共通入場券を使用して常設展示室１３０へ入場することができなくなってしまう。このため、各入場管理装置１３５，１４５では共通入場券に印刷されているバーコードを無効化することができず、共通入場券を購入した入館者は、入場期有効期限が過ぎない限り、購入した１枚の共通入場券を使用して常設展示室１３０や特別展示室１４０へ何度でも入場することができてしまう。さらには、常設展示室１３０や特別展示室１４０から退出した入館者が、共通入場券を別の者に渡してしまうと、共通入場券を渡された者は、常設展示室１３０や特別展示室１４０へ無料で入場することができてしまう。
【００１０】
なお、入場済みの共通入場券の識別番号等を各入場管理装置１３５，１４５のメモリに登録しておき、各入場管理装置１３５，１４５では、入場の可否を判定する際に、共通入場券から読み取った識別番号がメモリに登録されていないか、識別番号の照合を行うようにすれば、常設展示室１３０や特別展示室１４０への再度の入場を禁止することができるようになる。しかしながらこの場合は、入場の可否を判定する時間が、メモリに登録されている識別番号との照合を行う分だけ長引いてしまう。
【００１１】
また、特許文献１に記載された技術によれば、１枚の共通入場券を使用して常設展示室１３０や特別展示室１４０へ何度でも入場できてしまうといった問題は解消される。しかしながら、特許文献１に記載された技術を用いた場合、バーコードリーダに加え、穿孔の有無や穿孔の位置を検知するセンサが必要となるため、入場券リーダ・ライタ（入場管理装置１３５，１４５）のコストアップを招いてしまう。
【００１２】
本発明は、以上説明した事情に鑑みてなされたものであり、その目的は、複数の施設に入場することのできる入場券の不正使用を簡易な構成で防ぐことである。
【課題を解決するための手段】
【００１３】
上記課題を解決するために、本発明は、１枚の入場券で入場することのできる複数の施設のうち１の施設への入場を管理する入場管理装置であって、
前記入場券には、前記施設毎に当該施設への入場を管理するための入場管理コードが印刷されており、
前記入場券から前記１の施設の入場管理コードを読み取る読取手段と、
前記読取手段による読み取り結果を用いて前記１の施設への入場の可否を判定する判定手段と、
前記判定手段により入場が許可された場合に、前記入場券において前記１の施設の入場管理コードが印刷されている部分を加工して、前記入場管理コードを前記入場券から読み取ることができないようにする加工手段と、
前記判定手段により入場が許可されなかった場合に警告を出力する出力手段と
を備える入場管理装置を提供する。
【００１４】
また、本発明は、１枚の入場券で入場することのできる複数の施設のうち１の施設に設置された装置において行われる前記１の施設への入場を管理するための入場管理方法であって、
前記入場券には、前記施設毎に当該施設への入場を管理するための入場管理コードが印刷されており、
前記入場券から前記１の施設の入場管理コードを読み取る第１の過程と、
前記第１の過程における読み取り結果を用いて前記１の施設への入場の可否を判定する第２の過程と、
前記第２の過程にて入場が許可された場合に、前記入場券において前記１の施設の入場管理コードが印刷されている部分を加工して、前記入場管理コードを前記入場券から読み取ることができないようにする一方、前記第２の過程にて入場が許可されなかった場合に警告を出力する第３の過程と
を有する入場管理方法を提供する。
【００１５】
本発明によれば、入場管理装置は、当該入場管理装置が入場を管理する１の施設の入場管理コードを入場券から読み取り、読み取り結果を用いて入場の可否を判定する。そして、入場管理装置は、入場が許可された場合に、入場券において１の施設の入場管理コードが印刷されている部分を加工して、１の施設の入場管理コードを入場券から読み取ることができないようにする一方、入場が許可されなかった場合に警告を出力する。
【００１６】
また、本発明は、１枚の入場券で入場することのできる複数の施設のうち１の施設に設置された入場管理装置と退場管理装置とを有する入退場管理システムであって、
前記入場券には、前記施設毎に当該施設への入場を管理するための入場管理コードが印刷されており、
前記入場管理装置は、
前記入場券から前記１の施設の入場管理コードを読み取る読取手段と、
前記読取手段による読み取り結果を用いて前記１の施設への入場の可否を判定する判定手段と、
前記判定手段により入場が許可されなかった場合に警告を出力する出力手段とを備え、
前記退場管理装置は、
前記入場券において前記１の施設の入場管理コードが印刷されている部分を加工して、前記入場管理コードを前記入場券から読み取ることができないようにする加工手段を備える
ことを特徴とする入退場管理システムを提供する。
【００１７】
本発明によれば、入場管理装置は、当該入場管理装置が入場を管理する１の施設の入場管理コードを入場券から読み取り、読み取り結果を用いて入場の可否を判定した結果、入場が許可されなかった場合に警告を出力する。一方、退場管理装置は、入場券において１の施設の入場管理コードが印刷されている部分を加工して、１の施設の入場管理コードを入場券から読み取ることができないようにする。
【発明の効果】
【００１８】
本発明によれば、複数の施設に入場することのできる入場券の不正使用を簡易な構成で防ぐことができる。
【発明を実施するための最良の形態】
【００１９】
以下、図面を参照して本発明の実施形態について説明する。なお、背景技術において説明した図５と共通する部分については同一の符号を付してその説明を省略する。
［Ａ−１．実施形態の構成］
図１は、展示施設１００の構成を例示する図である。同図において図５と異なる部分は、常設展示室１３０の入口付近に設置された入場管理装置３０と、特別展示室１４０の入口付近に設置された入場管理装置４０である。また、特別展示室１４０への入場を希望する入館者に対して入場券売場１２０にて販売される共通入場券が、従来の共通入場券とは異なる。
【００２０】
なお、本実施形態では、各展示室１３０，１４０の入口付近に設置された入場管理装置３０，４０において、入館者が各展示室１３０，１４０に入場する際に、入場の可否の判定と、共通入場券に印刷された該当するバーコードの無効化を行う一方、各展示室１３０，１４０の出口から入館者が退場する際には、共通入場券のチェック等を何ら行わない場合について説明する。
【００２１】
本実施形態において使用される共通入場券２０には、図２に示すように、共通入場券２０の図柄や名称等が印刷される領域２０Ａと、常設展示室１３０用のバーコード（入場管理情報）が印刷される領域２０Ｂと、特別展示室１４０用のバーコード（入場管理情報）が印刷される領域２０Ｃとが設けられている。なお、共通入場券２０において、常設展示室１３０用のバーコードが印刷される位置（領域２０Ｂ）と、特別展示室１４０用のバーコードが印刷される位置（領域２０Ｃ）は、予め展示室毎に定められている。
【００２２】
ここで、領域２０Ｂに印刷されたバーコードは、常設展示室１３０用の入場識別番号や入場有効期限、管理コード等を示すものである。同様に、領域２０Ｃに印刷されたバーコードは、特別展示室１４０用の入場識別番号や入場有効期限、管理コード等を示すものである。なお、常設展示室１３０用のバーコードと特別展示室１４０用のバーコードを分けることで、例えば、常設展示室１３０と特別展示室１４０の主催者が異なる場合に、各主催者がそれぞれ独自に設定した入場識別番号や管理コード等を入場管理情報として用いることができるようになる。また、常設展示室１３０用の入場管理情報として入場識別番号のみを用いる一方、特別展示室１４０用の入場管理情報として、入場識別番号、入場有効期限および管理コードを用いること等が可能となる。
【００２３】
次に、図３は、常設展示室１３０に設置された入場管理装置３０のハードウェア構成を例示するブロック図である。同図において、ＣＰＵ３０１は、ＲＯＭ３０２や不揮発性メモリ３０８に記憶されているプログラムを実行することにより入場管理装置３０の各部を制御する。ＲＯＭ３０２には、入場管理装置３０の各部の基本制御を司るプログラム等が記憶されている。ＲＡＭ３０３は、ＣＰＵ３０１のワークエリアとして用いられる。計時部３０４は、現在時刻（年月日時分秒）を計時する。
【００２４】
バーコード読取部３０５は、共通入場券２０の領域２０Ｂに印刷されているバーコードを読み取る。読み取られたバーコードからは、常設展示室１３０用の入場識別番号や入場有効期限、管理コード等が得られる。なお、バーコード読取部３０５が共通入場券２０からバーコードを読み取る位置（領域）は、適宜調整することが可能である。ここでは、常設展示室１３０に設置された入場管理装置３０について説明しているので、バーコード読取部３０５のバーコードの読み取り位置が領域２０Ｂに調整されている。勿論、特別展示室１４０に設置された入場管理装置４０であれば、バーコードの読み取り位置が領域２０Ｃに調整されている。
【００２５】
無効処理部３０６は、常設展示室１３０への入場が許可された場合に、共通入場券２０の領域２０Ｂに印刷されているバーコード上に、例えば、「入場済み」等の文字や、入場済みであることを示すマークや図形を印刷し、領域２０Ｂに印刷されているバーコードをバーコード読取部３０５が読み取れないように無効化する。勿論、領域２０Ｂに印刷されているバーコードを塗りつぶしたり、領域２０Ｂに孔をあける等して、バーコードを無効化してもよい。このように無効処理部３０６は、常設展示室１３０への入場が許可された場合に、共通入場券２０の領域２０Ｂの部分に印刷や孔をあける等の加工処理を施して、領域２０Ｂに印刷されているバーコードを無効化する。
【００２６】
警告部３０７は、表示装置や警報ランプ、音声出力装置等を備えており、常設展示室１３０への入場が許可されなかった場合に、不正使用の疑いがある共通入場券２０を使用して常設展示室１３０へ入場しようとした入館者や、常設展示室１３０の係員に対し、警告を発する。この警告は、警告メッセージを表示装置の画面に表示したり、警告ランプを点滅させる、あるいは音声メッセージを出力したり、警報音を鳴らす等して行われる。また、警告部３０７は、入場管理装置３０に備わる開閉扉を閉める等して入館者の常設展示室１３０への入場を阻止することができる。
【００２７】
不揮発性メモリ３０８には、後述する入場可否判定処理（図４参照）を制御するためのプログラムが記憶されている。また、この不揮発性メモリ３０８には、共通入場券２０から読み取られた常設展示室１３０用の入場管理情報等が記憶される。
【００２８】
なお、特別展示室１４０に設置された入場管理装置４０は、共通入場券２０からのバーコードの読み取り位置が領域２０Ｂではなく領域２０Ｃである点や、領域２０Ｃから読み取ったバーコード（入場管理情報）を用いて特別展示室１４０への入場の可否を判定する点、無効化するバーコードが領域２０Ｃに印刷されているバーコードである点が入場管理装置３０とは異なる。
【００２９】
［Ａ−２．実施形態の動作］
まず、特別展示室１４０への入場を希望する入館者は、常設展示室１３０と特別展示室１４０の両方に入場可能な共通入場券２０を入場券売場１２０にて購入する。この共通入場券２０には、図２に示したように、常設展示室１３０用のバーコードが領域２０Ｂに印刷されている一方、特別展示室１４０用のバーコードが領域２０Ｃに印刷されている。入館者は、この共通入場券２０を持って常設展示室１３０あるいは特別展示室１４０の入口へ向かう。なお、以下に示す動作例では、入館者が常設展示室１３０へ入場する場合について説明する。
【００３０】
図４は、入場管理装置３０において実行される入場可否判定処理の動作を例示するフローチャートである。この入場可否判定処理は、入場管理装置３０のチケット挿入口に共通入場券２０が挿入された場合に、ＣＰＵ３０１により実行される。
【００３１】
まず、ＣＰＵ３０１は、図示を省略した搬送部を駆動して、チケット挿入口に挿入された共通入場券２０をバーコード読取部３０５まで搬送する。次いで、ＣＰＵ３０１は、バーコード読取部３０５を制御して、共通入場券２０の領域２０Ｂに印刷されているバーコードを読み取る（ステップＳ１０１）。なお、前述したように、入場管理装置３０の場合は、バーコード読取部３０５によるバーコードの読み取り位置が、共通入場券２０の領域２０Ｂに調整されている。
【００３２】
次いで、ＣＰＵ３０１は、共通入場券２０からバーコードが読み取れたか否かを判別する（ステップＳ１０２）。ここで、バーコードが読み取れなかった場合とは、入館者がこの共通入場券２０を使用して既に１度、常設展示室１３０に入場し、後述するステップＳ１１０に示す処理によって領域２０Ｂに印刷されているバーコードが無効化された場合である。したがって、ステップＳ１０２にてＮＯと判定された場合、ＣＰＵ３０１は、常設展示室１３０への入場の許可せず（ステップＳ１０３）、警告部３０７を制御して、この共通入場券２０を使用して常設展示室１３０に入場しようとした入館者や、常設展示室１３０の係員に対し、警告を発する（ステップＳ１０４）。また、ＣＰＵ３０１は、警告部３０７を制御して開閉扉を閉め、不正使用の疑いがある共通入場券２０を使用した入館者の常設展示室１３０への入場を阻止する（ステップＳ１０５）。
【００３３】
一方、ＣＰＵ３０１は、ステップＳ１０２にてＹＥＳと判定された場合、ステップＳ１０１にて読み取られたバーコードから常設展示室１３０用の入場管理情報を得る（ステップＳ１０６）。ここで得られる入場管理情報には、常設展示室１３０用の入場識別番号や入場有効期限、管理コード等が含まれている。次いで、ＣＰＵ３０１は、計時部３０４によって計時されている現在時刻（年月日時分秒）を取得する（ステップＳ１０７）。そして、ＣＰＵ３０１は、現在時刻が、入場管理情報に含まれている入場有効期限内であるか否かを判定する（ステップＳ１０８）。
【００３４】
その結果、ＣＰＵ３０１は、現在時刻が入場有効期限を過ぎている場合に（ステップＳ１０８：ＮＯ）、ステップＳ１０３に移行する。また、ＣＰＵ３０１は、現在時刻が入場有効期限内であった場合（ステップＳ１０８：ＹＥＳ）、すなわち、ステップＳ１０２にて共通入場券２０の領域２０Ｂに印刷されているバーコードを読み取ることができ、かつ、現在時刻が入場有効期限内であった場合は、常設展示室１３０への入場の許可する（ステップＳ１０９）。そして、ＣＰＵ３０１は、無効処理部３０６を制御して、共通入場券２０の領域２０Ｂに印刷されているバーコード上に、「入場済み」等の文字や、入場済みであることを示すマークや図形を印刷し、領域２０Ｂに印刷されているバーコードをバーコード読取部３０５が読み取れないように無効化する（ステップＳ１１０）。勿論、領域２０Ｂに印刷されているバーコードを塗りつぶしたり、領域２０Ｂに孔をあける等して、バーコードを無効化してもよい。この後、ＣＰＵ３０１は、搬送部（図示省略）を駆動して、共通入場券２０をチケット排出口まで搬送してチケット排出口から排出した後、図４に示す処理を終える。
【００３５】
入館者は、入場管理装置３０から排出された共通入場券２０を受け取って常設展示室１３０へと入場する。ここで入館者が受け取った共通入場券２０については、領域２０Ｂに印刷されているバーコード上に、このバーコードを読み取れないようにする印刷や孔があけられているから、入館者がこの共通入場券２０を使用して再度、常設展示室１３０へ入場しようとすると、図４に示したステップＳ１０２にてＮＯと判定され、常設展示室１３０への入場が阻止される（ステップＳ１０３〜Ｓ１０５）。
【００３６】
また、特別展示室１４０に設置された入場管理装置４０においても、共通入場券２０の領域２０Ｃに印刷されている特別展示室１４０用のバーコードについて、図４に示した処理と同様の処理が行われる。これにより入場管理装置４０では、共通入場券２０の領域２０Ｃに印刷されているバーコード（入場管理情報）を読み取って特別展示室１４０への入場の可否を判定し、入場が許可された場合、領域２０Ｃに印刷されているバーコードを無効化する一方、入場が許可されなかった場合、警告メッセージを報知する。
【００３７】
以上説明したように本実施形態によれば、各入場管理装置３０，４０は、自装置が設置された展示室用のバーコードを共通入場券２０から読み取り、読み取り結果を用いて展示室への入場の可否を判定する。そして、各入場管理装置３０，４０は、入場を許可すると判定した場合に、共通入場券２０において自装置が設置された展示室用のバーコードが印刷されている部分に印刷や孔をあける等の加工処理を施してこのバーコードを無効化する一方、入場を許可しないと判定した場合には、警告を出力する。したがって、料金を１回分しか払っていないにも係らず、１枚の共通入場券２０で常設展示室１３０や特別展示室１４０に何度も入場できてしまう、といった共通入場券２０の不正使用を防ぐことができる。また、特許文献１に記載された技術のように、穿孔の有無や穿孔の位置を検知するセンサを入場管理装置３０，４０に組み込む必要もない。よって、共通入場券２０の不正使用を簡易な構成で防ぐことができるようになる。
【００３８】
［Ｂ．変形例］
上述した実施形態は、本発明の一態様を例示したものに過ぎず、例えば、以下に示すような変形例が考えられる。
（１）入場管理装置３０，４０が設置される場所は、展示室１３０，１４０内に限定されるものではなく、例えば、展示室１３０，１４０の入口付近のエントランスホール１１０内に設置されていてもよい。また、各入場管理装置３０，４０は、入場時には共通入場券２０に印刷されているバーコードの無効化を行わず、展示室１３０，１４０から入館者が退場する際に、共通入場券２０に印刷されているバーコードを無効化してもよい。但し、この場合、図１において各入場管理装置３０，４０は、展示室１３０，１４０の入口と出口の間に設けられ、入館者は、各展示室１３０，１４０から退場する際にも共通入場券２０を入場管理装置３０，４０に挿入する必要がある。また、各展示室１３０，１４０の入口と出口を１つにまとめて出入口として、各入場管理装置３０，４０は、入館者が展示室１３０，１４０に入場する際に入場の可否を判定する一方、入館者が展示室１３０，１４０から退場する際に、共通入場券２０に印刷されたバーコードを無効化するようにしてもよい。このように入場管理装置３０，４０を、入退と退場を管理する入退場管理装置としてもよい。
【００３９】
（２）図１において各展示室１３０，１４０の出口付近に退場管理装置を設置し、この退場管理装置において、入館者が展示室１３０，１４０から退出する際に、共通入場券２０に印刷されているバーコードを無効化してもよい。但し、このように入場管理装置３０と退場管理装置とを有する入退場管理システムとする場合は、入場管理装置３０においてバーコードを無効化する必要はない。
【００４０】
（３）例えば、特別展示室１４０への入場が、２日間に渡って有効であり、かつ１日１回の入場が許可される場合は、共通入場券２０に、特別展示室１４０用のバーコードを偶数日用と奇数日用の計２つ印刷し、入場管理装置４０では、計時部による計時時刻（現在時刻）に基づいて偶数日であるのか奇数日であるのかを特定し、偶数日である場合と、奇数日である場合とで共通入場券２０におけるバーコードの読み取り位置を変更するようにしてもよい。なお、月末が３１日まであり、３１日と翌月の１日が有効期間である場合は、月またぎのチェックを行う。
【００４１】
（４）バーコードの読み取りは、画像を撮像し、当該撮像した画像内にあるバーコードを画像認識によって識別する方法を採用してもよい。また、共通入場券２０全体の画像を撮像し、撮像した画像内にある複数のバーコードの中から読み取り対象となるバーコードを特定して、このバーコードを画像認識によって識別するようにしてもよい。
【００４２】
（５）共通入場券２０に印刷されるバーコードは、２次元バーコードであってもよいし、バーコード以外の図像で表されるコードを用いてもよい。また、入場管理情報を文字データのまま共通入場券２０に印刷してもよい。また、これらのバーコードや文字データを共通入場券２０の裏面に印刷するようにしてもよい。
【図面の簡単な説明】
【００４３】
【図１】本発明の実施形態に係る展示施設１００の構成を例示する図である。
【図２】同実施形態に係る共通入場券２０の概要を例示する図である。
【図３】同実施形態に係る入場管理装置３０のハードウェア構成を例示するブロック図である。
【図４】同実施形態に係り、入場管理装置３０において実行される入場可否判定処理の動作を例示するフローチャートである。
【図５】従来技術に係り、展示施設１００の構成を例示する図である。
【符号の説明】
【００４４】
２０…共通入場券、２０Ａ，２０Ｂ，２０Ｃ…領域、３０，４０…入場管理装置、１００…展示施設、１１０…エントランスホール、１２０…入場券売場、１３０…常設展示室、１３５…入場管理装置、１４０…特別展示室、１４５…入場管理装置、３０１…ＣＰＵ、３０２…ＲＯＭ、３０３…ＲＡＭ、３０４…計時部、３０５…バーコード読取部、３０６…無効処理部、３０７…警告部、３０８…不揮発性メモリ。
【図１】
2005165853.tif 000003
【図２】
2005165853.tif 000004
【図３】
2005165853.tif 000005
【図４】
2005165853.tif 000006
【図５】
2005165853.tif 000007